(57)【特許請求の範囲】
【請求項１】
搬入路から送られるコイン・玉を研磨部で研磨して搬出路へ送り出すコイン・玉研磨装置に於いて、搬入路のコイン・玉を直接搬出路へ送り出すバイパス路を設け、搬入路のコイン・玉送りを研磨部からバイパス路へ切換える切換手段を備えたことを特徴とするコイン・玉研磨装置。
【請求項２】
研磨部の研磨能力の低下・停止を検出する検出手段を設け、同検出手段の検出信号で切換手段を作動させ、研磨部の能力停止・低下のとき搬入路のコイン・玉をバイパス路へ送り出すようにした請求項１記載のコイン・玉研磨装置。
【請求項３】
切換手段が搬入路から送られるコイン・玉を一時貯えて排出するホッパと、同ホッパの吐出口下方に設けた送り方向が正逆自在なコンベヤベルトと、同コンベヤベルトを駆動する正逆回転のモータと、同モータの正逆方向切換えスイッチとから構成された請求項１又は２記載のコイン・玉研磨装置。
【発明の詳細な説明】
【０００１】
【産業上の利用分野】
本発明は、コイン・硬貨・メダル・パチンコ玉（コイン・玉と総称する）の表面に付着した脂質・ゴミ・油・タバコヤニ等の汚れを除去するコイン・玉研磨装置に関する。
【０００２】
【従来の技術】
従来のコイン研磨装置は、コイン計数機で計数された後の処理としてコイン研磨装置へコインが移送され、コインを研磨する。研磨後は各ゲーム装置へ供給される。
又、ゲーム装置へのコイン循環供給装置の途中にコイン研磨装置が装置される場合もある。
従来のコイン研磨装置では、装置の研磨能力が低下又は停止したとき、コインの搬出が低下・停止し、コイン研磨装置でコイン・玉が溜まり、コイン・玉計数機・コイン・玉循環供給装置が使用出来なくなるという問題点があった。特にコイン・玉循環供給装置が停止すると、ゲーム装置全台が使用出来ず、きわめて影響が大きいものであった。
コイン研磨装置の研磨能力の停止・低下の他に、コイン研磨装置の能力を超えた個数のコインが搬入された場合も同様な現象が生じ、全体のコイン処理能力が低下していた。
【０００３】
【発明が解決しようとする課題】
本発明が解決しようとする課題は、従来のこれらの問題点を解消し、研磨能力の低下・停止があってもコイン・玉の他の処理及び玉の流れに影響を与えないように出来、又設定処理能力を超えたコイン・玉が投入されても他の処理・流れに影響がないように出来るコイン・玉研磨装置を提供することにある。
【０００４】
【課題を解決するための手段】
かかる課題を解決した本発明の構成は、
１）  搬入路から送られるコイン・玉を研磨部で研磨して搬出路へ送り出すコイン・玉研磨装置に於いて、搬入路のコイン・玉を直接搬出路へ送り出すバイパス路を設け、搬入路のコイン・玉送りを研磨部からバイパス路へ切換える切換手段を備えたことを特徴とするコイン・玉研磨装置
２）  研磨部の研磨能力の低下・停止を検出する検出手段を設け、同検出手段の検出信号で切換手段を作動させ、研磨部の能力停止・低下のとき搬入路のコイン・玉をバイパス路へ送り出すようにした前記１）記載のコイン・玉研磨装置
３）  切換手段が搬入路から送られるコイン・玉を一時貯えて排出するホッパと、同ホッパの吐出口下方に設けた送り方向が正逆自在なコンベヤベルトと、同コンベヤベルトを駆動する正逆回転のモータと、同モータの正逆方向切換えスイッチとから構成された前記１）又は２）記載のコイン・玉研磨装置
にある。
ここで、切換手段は手動操作で行われる切換構造でもよいし、研磨部の能力の低下・停止又は過剰なコイン・玉の投入を検出して、自動的に電気的又は機構的に切換構造・切換機構を作動させてもよく、本発明は両形態とも包含する。
又、切換手段によってバイパス路に送るコイン・玉は搬入するコイン・玉の全数でもよいし、一部でもよい。
【０００５】
【作用】
本発明では、研磨部の能力が何らかの原因で低下又は停止したとき、手動操作又は自動的に切換手段を作動させ、搬入するコイン・玉をバイパス路へ全量又は一部送り、そのまま搬出路へ排出する。これによって、研磨部の能力が低下・停止してもコイン・玉を流すことができ、よってコイン・玉の流れを止めないで他の機器に影響を与えないようにすることができる。
【０００６】
【実施例】
以下、本発明の実施例を図面に基づいて説明する。本実施例は、コインを研磨する装置の例である。
図１は本発明の実施例の説明図、図２は図１のＡ−Ａ断面図、図３は実施例の研磨部を示す説明図である。
【０００７】
図中、１は搬入路のホッパ、２はコインを正逆両方向に送れるコンベヤ、３は研磨部、４は筒体の内に形成されたコインの搬出路、５はバイパス路、６はホッパ１と研磨部３との間に設けたコイン整列送り機、７はコイン、８は制御部、９はコイン整列送り機６及び研磨部３のコイン通路である。
又、１０，１１はホッパ１に関する構成部分で、１０はホッパ投入口、１１はホッパ１の排出口である。
２０，２１はコンベヤ２に関する構成部分で、２０はコンベヤベルト、２１はコンベヤベルト２０を駆動する正逆回転のモータ、２２はモータ２１の正逆方向切換えスイッチである。
３０〜３５は研磨部３に関する構成部分で、３０はコイン送り無端ベルト、３１は同コイン送り無端ベルトの送りローラ、３２は研磨布３３，３４を互に圧接するように押圧するコイン押付板、３３，３４は上下に対向した研磨布、３５は上方の研磨布３３を下方へ押し付けるスプリング、又３６，３７はコイン検出器である。
【０００８】
この実施例では、計数器で計数されたコイン７は、ホッパ１の投入口１０から投入され、その排出口１１から下方のコンベヤ２へ落下する。このコンベヤ２へ落下するコイン７の数はコイン検出器３６によって検出される。コンベヤ２は通常図中左方向に送る方向に作動していて、コイン７はコイン整列送り機に送られる。コイン整列送り機６ではランダムの状態で多数送られたコインを水平一列に並べて高速でコイン通路９に排出し、研磨部３へ送り出す。研磨部３では、コイン７は上下の研磨布３３，３４及びコイン当板（図示せず）とコイン送り無端ベルト３０との間の水平の細長い空間に送られる。上下の研磨布３３，３４間のコインをコイン送り無端ベルト３０はコイン当板に押付けながら移動してコインを回転させながら強制送りする。コイン７が回転しながら上下の研磨布３３，３４間のコイン通路９を通過することでコイン７の表面の脂・ゴミ・油・タバコヤニ、等の汚れが拭き取られ、美しく研磨された状態で排出され、搬出路４へ送られる。
【０００９】
ここで、研磨部３又はコイン整列送り機６の動作が不良又は停止し、ホッパ１にコイン７が多数投入されたにもかかわらず、排出路４へ投入の個数が排出されない場合、ホッパ１の排出口１１に設けたコイン検出器３６と排出路４の途中に設けたコイン検出器３７とのコイン検出個数が大きく違ってきて、各コイン検出器３６，３７の信号は制御部８へ送られ、そのコインの送り量の大きな違いによって、モータ２１を逆方向に作動させ、コンベヤ２のコンベヤベルト２０を反対方向に送り、ホッパ１の排出口１１から落下するコイン７をバイパス路５へ送り、直接搬出路４へ送り出し、コイン７を研磨させないでそのまま送り出し、他の機器、ゲーム機の動作に影響を与えないですむようにしている。
又、本実施例はコイン検出器３６，３７の検出による自動切換えばかりでなく、正逆方向切換えスイッチ２２の手動操作でもバイパス通過を可能としている。
【００１０】
【発明の効果】
以上の様に、本発明によれば、研磨部及びその周辺の部分の不作動、機能低下、停止があっても、コイン・玉を搬入路から直接全部又は一部を搬出路へ移送させることで、コインの流れを止めることなく、他の機器・ゲーム機の作動・使用の影響を少なくできる。
【図面の簡単な説明】
【図１】本発明の実施例の説明図である。
【図２】本発明の実施例の研磨部を示す説明図である。
【図３】実施例の研磨部を示す説明図である。
【符号の説明】
１  ホッパ
２  コンベヤ
３  研磨部
４  搬出路
５  バイパス路
６  コイン整列送り機
７  コイン
８  制御部
９  コイン通路
１０  ホッパ投入口
１１  排出口
２０  コンベヤベルト
２１  モータ
２２  正逆切換えスイッチ
３０  コイン送り無端ベルト
３１  送りローラ
３２  コイン押付板
３３  研磨布
３４  研磨布
３５  スプリング
３６  コイン検出器
３７  コイン検出器
【図１】
0003735131.tif 000002
【図２】
0003735131.tif 000003
【図３】
0003735131.tif 000004